(57)【要約】      （修正有）【課題】診断精度を向上させる医用画像管理装置を提供する。【解決手段】医用画像管理装置１０は、検像ステータス記憶部１４と、条件記憶部１３と、受付部１５と、更新部とを備える。検像ステータス記憶部は、医用画像データを用いた検査について行われた操作の実施状況を表す検像ステータスを記憶する。条件記憶部は、前記検査に対して行われる操作の内容に関する条件と、当該条件に応じた検像ステータスとを対応付けて記憶する。受付部は、前記検査について行われた操作を受け付ける。更新部は、前記受付部によって受け付けられた操作の内容が前記条件記憶部によって記憶されている条件を満たす場合に、当該条件に対応する検像ステータスで、前記検像ステータス記憶部によって記憶されている検像ステータスを更新する。【選択図】図２
2015159894.tif 000002
【特許請求の範囲】
【請求項１】
医用画像データを用いた検査について行われた操作の実施状況を表す検像ステータスを記憶する検像ステータス記憶部と、
前記検査に対して行われる操作の内容に関する条件と、当該条件に応じた検像ステータスとを対応付けて記憶する条件記憶部と、
前記検査について行われた操作を受け付ける受付部と、
前記受付部によって受け付けられた操作の内容が前記条件記憶部によって記憶されている条件を満たす場合に、当該条件に対応する検像ステータスで、前記検像ステータス記憶部によって記憶されている検像ステータスを更新する更新部と
を備えたことを特徴とする医用画像管理装置。
【請求項２】
前記条件記憶部は、前記検像ステータスに対応する条件を複数記憶し、
前記更新部は、前記受付部によって受け付けられた操作の内容が、前記複数の条件をそれぞれ満たす場合に、当該複数の条件に対応する検像ステータスで、前記検像ステータス記憶部によって記憶されている検像ステータスを更新することを特徴とする請求項１に記載の医用画像管理装置。
【請求項３】
前記条件記憶部は、前記検像ステータスに対応する条件として、前記操作の操作内容と、当該操作を行った操作者とを少なくとも記憶し、
前記更新部は、前記受付部によって受け付けられた操作の内容が、前記条件記憶部によって記憶されている操作内容と一致し、かつ、前記受付部によって受け付けられた操作を行った操作者が、前記条件記憶部に記憶された操作者と一致する場合に、当該操作内容及び当該操作者に対応付けられた検像ステータスで、前記検像ステータス記憶部によって記憶されている検像ステータスを更新することを特徴とする請求項１又は２に記載の医用画像管理装置。
【請求項４】
前記更新部によって更新された検像ステータスに応じて、前記検査の結果に対する操作を操作者ごとに制限する制限部をさらに備えたことを特徴とする請求項１〜３のいずれか一つに記載の医用画像管理装置。
【請求項５】
コンピュータに、
前記検査について行われた操作を受け付け、
前記操作を受け付ける処理によって受け付けられた操作の内容が、医用画像データを用いた検査に対して行われる操作の内容に関する条件と、当該条件に応じた検像ステータスとを対応付けて記憶する条件記憶部によって記憶されている条件を満たす場合に、当該条件に対応する検像ステータスで、前記検査について行われた操作の実施状況を表す検像ステータスを記憶する検像ステータス記憶部によって記憶されている検像ステータスを更新する
各処理を実行させることを特徴とする医用画像管理プログラム。
【請求項６】
医用画像データを用いた検査について行われた操作の実施状況を表す検像ステータスを記憶する検像ステータス記憶部と、
前記検査に対して行われる操作の内容に関する条件と、当該条件に応じた検像ステータスとを対応付けて記憶する条件記憶部と、
前記検査について行われた操作を受け付ける受付部と、
前記受付部によって受け付けられた操作の内容が前記条件記憶部によって記憶されている条件を満たす場合に、当該条件に対応する検像ステータスで、前記検像ステータス記憶部によって記憶されている検像ステータスを更新する更新部と
を備えたことを特徴とする医用情報システム。
【発明の詳細な説明】
【技術分野】
【０００１】
本発明の実施形態は、医用画像管理装置、医用画像管理プログラム及び医用情報システムに関する。
【背景技術】
【０００２】
従来、病院や診療所等の医療機関では、医用画像診断装置により被検体を撮影し、撮影された医用画像を用いて診断することが行われている。撮影された医用画像は、診断に用いられる前に、撮影技師により検像が行われる。「検像」とは、撮影された医用画像を見て診断に利用可能が否かを判断したり、医師からの依頼内容と相違ないか確認したりすることを言う。撮影技師は、撮影された医用画像を検像用の装置に表示して、検像を行う。また、検像用の装置等には、例えば、検像後、撮影画像が参照可能とするよう制御することや、検像済みであるか否かを表示する技術も知られている。
【先行技術文献】
【特許文献】
【０００３】
【特許文献１】特開２００９−８６７３４号公報
【発明の概要】
【発明が解決しようとする課題】
【０００４】
本発明が解決しようとする課題は、医用画像を用いた診断の精度を向上させることができる医用画像管理装置、医用画像管理プログラム及び医用情報システムを提供することである。
【課題を解決するための手段】
【０００５】
実施形態に係る医用画像管理装置は、検像ステータス記憶部と、条件記憶部と、受付部と、更新部とを備える。検像ステータス記憶部は、医用画像データを用いた検査について行われた操作の実施状況を表す検像ステータスを記憶する。条件記憶部は、前記検査に対して行われる操作の内容に関する条件と、当該条件に応じた検像ステータスとを対応付けて記憶する。受付部は、前記検査について行われた操作を受け付ける。更新部は、前記受付部によって受け付けられた操作の内容が前記条件記憶部によって記憶されている条件を満たす場合に、当該条件に対応する検像ステータスで、前記検像ステータス記憶部によって記憶されている検像ステータスを更新する。
【図面の簡単な説明】
【０００６】
【図１】図１は、第１の実施形態に係る医用情報システムを示す図である。
【図２】図２は、第１の実施形態に係る医用画像管理装置の機能構成の一例を示す図である。
【図３】図３は、オーダ記憶部に記憶される情報の一例を示す図である。
【図４】図４は、操作履歴記憶部に記憶される情報の一例を示す図である。
【図５】図５は、条件記憶部に記憶される情報の一例を示す図である。
【図６】図６は、検像ステータス記憶部に記憶される情報の一例を示す図である。
【図７】図７は、検像ステータス記憶部に記憶される情報の一例を示す図である。
【図８】図８は、検像ステータス記憶部に記憶される情報の一例を示す図である。
【図９】図９は、出力制御部の処理を説明するための図である。
【図１０】図１０は、第１の実施形態に係る医用画像管理装置の処理手順を示すフローチャートである。
【図１１】図１１は、第２の実施形態に係る医用画像管理装置の機能構成の一例を示す図である。
【図１２】図１２は、閲覧可否記憶部に記憶される情報の一例を示す図である。
【発明を実施するための形態】
【０００７】
以下、図面を参照して、実施形態に係る医用画像管理装置、医用画像管理プログラム及び医用情報システムを説明する。
【０００８】
（第１の実施形態）
図１は、第１の実施形態に係る医用情報システムを示す図である。図１に示すように、第１の実施形態に係る医用情報システム１は、医用画像管理装置１０と、検査予約管理装置２０と、医用画像診断装置３０と、ワークステーション４０と、端末装置５０とを備える。各装置は、例えば、病院内に設置された院内ＬＡＮ（Local  Area  Network）２により、直接的又は間接的に相互に通信可能な状態となっている。例えば、医用情報システム１にＰＡＣＳ（Picture  Archiving  and  Communication  System）が導入されている場合、各装置は、ＤＩＣＯＭ（Digital  Imaging  and  Communications  in  Medicine）規格に則って、医用画像データ等を相互に送受信する。
【０００９】
医用画像管理装置１０は、医用画像データを管理する装置である。例えば、医用画像管理装置１０は、医用画像データを保管するデータベースを備え、医用画像診断装置３０により生成された医用画像データや検査結果をデータベースに格納し、これを保管する。なお、医用画像管理装置１０は、大容量の画像を保管可能なワークステーション４０を用いることで、ワークステーション４０と統合されても良い。
【００１０】
検査予約管理装置２０は、検査の予約管理を行う装置であり、例えば、ＨＩＳ（Hospital  Information  System）又はＲＩＳ（Radiology  Information  System）が導入されている。例えば、検査予約管理装置２０は、病院内に勤務する医師や事務員により、被験者の検査を予約する検査予約オーダの入力を受け付け、受け付けた検査予約オーダを医用情報システム１の各装置に送信する。
【００１１】
医用画像診断装置３０は、Ｘ線診断装置、Ｘ線ＣＴ装置、ＭＲＩ装置、超音波診断装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、検体検査装置等の装置である。例えば、医用画像診断装置３０は、被験者を撮影する撮影技師からの操作に応じて被験者を撮影し、医用画像データや検査結果を生成する。
【００１２】
ワークステーション４０は、医用画像データに対して画像処理を行う画像処理装置である。例えば、ワークステーション４０は、医用画像管理装置１０から医用画像データや検査結果を取得し、取得した医用画像データや検査結果をモニタに表示する。
【００１３】
端末装置５０は、病院内に勤務する医師や撮影技師、読影技師等に医用画像データ及び検査結果を閲覧させるための装置である。例えば、端末装置１５０は、病院内に勤務する医師や撮影技師、読影技師等により操作されるＰＣ（Personal  Computer）やタブレット式ＰＣ、ＰＤＡ（Personal  Digital  Assistant）、携帯電話等である。
【００１４】
なお、図１に示す各装置には、例えば、医用情報システム１を利用するためのクライアントアプリケーションがインストールされている。各装置は、装置を操作する操作者のアカウント及びパスワードを受け付けることにより、操作者を特定することができる。各装置が操作者を特定する方法はこれに限定されるものではなく、例えば、操作者が各装置を操作する度に操作者を識別するための識別情報を入力することで、操作者を特定しても良い。
【００１５】
ところで、近年では、医用画像診断装置の性能向上や医療業務の効率化等によって検査の発生量が増加したことにより、撮影技師が全ての検査について検像することが困難な状況にある。
【００１６】
ここで、第１の実施形態に係る医用画像管理装置１０は、医用画像データを用いた検査について行われた操作の実施状況を表す検像ステータスを記憶する。また、医用画像管理装置１０は、検査に対して行われる操作の内容に関する条件と、その条件に応じた検像ステータスとを対応付けて記憶する。また、医用画像管理装置１０は、検査について行われた操作を受け付ける。また、医用画像管理装置１０は、受け付けた操作の内容が条件を満たす場合に、その条件に対応する検像ステータスで、記憶している検像ステータスを更新する。このため、医用画像管理装置１０は、医用画像を用いた診断の精度を向上させることができる。例えば、医用画像管理装置１０は、医師が検査一覧を閲覧する場合に、検像ステータスを表示する。これにより、医師は、閲覧する医用画像に対してどのような操作が行われたか、さらにはその操作が誰によってなされたのかを容易に把握することができる。すなわち、医用画像管理装置１０は、撮影技師が全ての検査について検像することが困難であったとしても、医用画像がどの程度信頼できるかを表す情報とともに医用画像を提供することで、診断の精度を向上させることができる。以下、医用画像管理装置１０について具値的に説明する。
【００１７】
図２は、第１の実施形態に係る医用画像管理装置の機能構成の一例を示す図である。図２に示すように、第１の実施形態に係る医用画像管理装置１０は、オーダ記憶部１１と、操作履歴記憶部１２と、条件記憶部１３と、検像ステータス記憶部１４と、受付部１５と、検像ステータス管理部１６と、出力制御部１７とを有する。また、医用画像管理装置１０は、図示しないデータベースを備え、検査予約オーダごとに医用画像データを記憶する。
【００１８】
オーダ記憶部１１は、検査予約オーダを記憶する記憶部である。例えば、オーダ記憶部１１は、後述の受付部１５により検査予約オーダが登録される。また、オーダ記憶部１１は、後述の検像ステータス管理部１６及び出力制御部１７により参照される。
【００１９】
図３は、オーダ記憶部に記憶される情報の一例を示す図である。図３に示すように、オーダ記憶部１１は、オーダＩＤ、患者ＩＤ、検査種別、検査装置、使用材料及び予定読影技師を対応付けて記憶する。このうち、オーダＩＤは、検査予約オーダを識別するための情報である。患者ＩＤは、医療機関に受診する患者を識別するための情報である。検査種別は、実施される検査の種別を指定するための情報である。検査装置は、検査を実施する医用画像診断装置３０を指定するための情報である。使用材料は、検査において使用される材料を指定するための情報である。予定読影技師は、検査により撮影された医用画像を読影し、レポートを作成する医師を指定するための情報である。
【００２０】
図３に示す例では、オーダ記憶部１１は、オーダＩＤ「００００１」、患者ＩＤ「０００１」、検査種別「ＣＴ検査」、検査装置「装置Ｘ」、使用材料「造影剤あり」及び予定読影技師「読影技師Ｃ」を対応付けて記憶する。つまり、オーダ記憶部１１は、患者ＩＤ「０００１」の被験者についてＣＴ検査を行うことが予約されたオーダＩＤ「００００１」の検査予約オーダを記憶する。また、オーダ記憶部１１は、オーダＩＤ「００００１」の検査予約オーダが、装置Ｘ及び造影剤を用いて検査されることと、読影技師として読影技師Ｃが指定されている旨を記憶する。なお、オーダ記憶部１１は、他の検査予約オーダについても同様に記憶する。
【００２１】
操作履歴記憶部１２は、検査について行われた操作の履歴を記憶する。例えば、操作履歴記憶部１２は、受付部１５により操作に関する操作情報が登録される。また、操作履歴記憶部１２は、検像ステータス管理部１６及び出力制御部１７により参照される。
【００２２】
図４は、操作履歴記憶部に記憶される情報の一例を示す図である。図４に示すように、操作履歴記憶部１２は、操作Ｎｏ、オーダＩＤ、操作内容、操作者及び操作日時を対応付けて記憶する。このうち、操作Ｎｏは、操作履歴記憶部１２における操作の履歴の番号を表し、例えば、操作の履歴が操作履歴記憶部１２に登録されるごとに順番に付与される。操作内容は、検査について行われた操作の内容を表す情報である。操作者は、その操作を行った者を表す情報である。操作日時は、その操作が行われた日時を表す情報である。
【００２３】
図４に示す例では、操作履歴記憶部１２は、操作Ｎｏ「１」、オーダＩＤ「００００１」、操作内容「検査予約オーダを受信」、操作者「−」及び操作日時「２０１２／３／１２  １０：００：００」を対応付けて記憶する。つまり、操作履歴記憶部１２は、２０１２年３月１２日１０時に、オーダＩＤ「００００１」の検査予約オーダを受信したことを、操作Ｎｏ「１」の操作の履歴として記憶する。なお、図中の「−」は、該当する項目が存在しないことを表す。また、操作履歴記憶部１２は、他の操作の履歴についても同様に記憶する。
【００２４】
条件記憶部１３は、検査に対して行われる操作の内容に関する条件と、その条件に応じた検像ステータスとを対応付けて記憶する。例えば、条件記憶部１３は、医用画像管理装置１０を管理する管理者によって予め登録される。条件記憶部１３は、検像ステータス記憶部１４により参照される。
【００２５】
図５は、条件記憶部に記憶される情報の一例を示す図である。図５に示すように、条件記憶部１３は、条件Ｎｏ、変更前検像ステータス、条件及び変更後検像ステータスを対応付けて記憶する。このうち、条件Ｎｏは、条件記憶部１３における条件の番号を表し、例えば、条件が条件記憶部１３に登録された順番に付与される。条件は、検像ステータスを変更するための条件を表し、少なくとも操作内容及び操作者に関する条件を含む。図５に示す例では、条件は、操作内容、操作者及びその他を含む。操作内容は、操作の内容に関する条件を表す。操作者は、その操作を行う操作者に関する条件を表す。その他は、操作内容及び操作者とは異なる条件を表し、検査内容や検査予約オーダに応じて設定される。変更前検像ステータスは、その条件を用いた判定の対象となる検査の検像ステータスを表す。変更後検像ステータスは、その条件を満たした場合に変更される検像ステータスを表す。
【００２６】
図５に示す例では、条件記憶部１３は、条件Ｎｏ「００１」、変更前検像ステータス「−」、操作内容「検査予約オーダを受信」、操作者「−」、その他「−」及び変更後検像ステータス「未確認」を対応付けて記憶する。つまり、条件記憶部１３は、検像ステータスが設定されていない検査について、その検査予約オーダを受信した場合に、その検査の検像ステータス「未確認」として登録することを示す情報を記憶する。なお、この条件Ｎｏ「００１」の条件は、所定の操作者やその他の条件により制限されるものではない。また、条件記憶部１３は、他の条件についても同様に記憶する。
【００２７】
検像ステータス記憶部１４は、検像ステータスを記憶する。例えば、検像ステータス記憶部１４は、オーダ記憶部１１に新規の検査予約オーダが登録された場合に、検像ステータス「未確認」が検像ステータス管理部１６によって登録される。検像ステータス記憶部１４は、条件記憶部１３に記憶された条件を満たす操作の履歴が操作履歴記憶部１２に登録された場合に、その操作に関する検査の検像ステータスが検像ステータス管理部１６によって更新される。また、検像ステータス記憶部１４は、検像ステータス管理部１６及び出力制御部１７により参照される。
【００２８】
図６は、検像ステータス記憶部に記憶される情報の一例を示す図である。図６に示すように、検像ステータス記憶部１４は、オーダＩＤ及び検像ステータスを対応付けて記憶する。このうち、検像ステータスは、オーダＩＤに対応する現在の検像ステータスを表す。
【００２９】
図６に示す例では、検像ステータス記憶部１４は、オーダＩＤ「００００１」及び検像ステータス「撮影前確認済」を対応付けて記憶する。つまり、検像ステータス記憶部１４は、オーダＩＤ「００００１」の検査の検像ステータスが「撮影前確認済」である旨を記憶する。なお、検像ステータス記憶部１４は、他のオーダＩＤについても同様に、検像ステータスを記憶する。
【００３０】
受付部１５は、検査について行われた操作を受け付ける。例えば、受付部１５は、データベースの医用画像データに対して、医用情報システム１の各装置からの操作を受け付けると、操作元の装置が受け付けたアカウント及びパスワードに基づいて、装置の操作者を特定する。そして、受付部１５は、操作された医用画像データが生成された検査のオーダＩＤ、操作内容、操作者及び操作日時を対応付けて、操作情報として操作履歴記憶部１２に登録する。なお、ここでは、医用画像管理装置１０が医用情報システム１の各装置からの操作を受け付けた場合を説明するが、実施形態はこれに限定されるものではない。例えば、医用画像管理装置１０がユーザインターフェースを有する場合には、受付部１５は、操作者によりユーザインターフェースを介して入力された操作を受け付けても良い。
【００３１】
また、例えば、受付部１５は、検査予約管理装置２０から送信された検査予約オーダを受信し、受信した検査予約オーダをオーダ記憶部１１へ登録するとともに、後述の検像ステータス管理部１６へ出力する。
【００３２】
検像ステータス管理部１６は、受付部１５によって受け付けられた操作の内容が条件記憶部１３によって記憶されている条件を満たす場合に、その条件に対応する検像ステータスで、検像ステータス記憶部１４によって記憶されている検像ステータスを更新する。また、検像ステータス管理部１６は、検査予約オーダを受付部１５から受け付けると、検査予約オーダのオーダＩＤと、検像ステータス「未確認」とを対応付けて検像ステータス記憶部１４へ登録する。
【００３３】
例えば、検像ステータス管理部１６は、操作情報が操作履歴記憶部１２に登録されると、登録された操作情報のオーダＩＤと同一のオーダＩＤの操作情報を操作履歴記憶部１２から取得する。検像ステータス管理部１６は、登録された操作情報のオーダＩＤに対応する検像ステータスを、検像ステータス記憶部１４から取得する。検像ステータス管理部１６は、取得した検像ステータスを変更前検像ステータスに含む条件を、条件記憶部１３から取得する。
【００３４】
続いて、検像ステータス管理部１６は、操作履歴記憶部１２から取得した操作情報が、条件記憶部１３から取得した条件を満たすか否かを判定する。検像ステータス管理部１６は、操作情報が条件を満たす場合には、その条件に対応する変更後検像ステータスで、検像ステータス記憶部１４によって記憶されている検像ステータスを更新する。
【００３５】
図４を用いて、各操作情報が登録された場合の検像ステータス管理部１６の処理を説明する。まず、操作Ｎｏ「１」の操作情報が操作履歴記憶部１２に登録された場合の処理を説明する。検像ステータス管理部１６は、図３のオーダＩＤ「００００１」の検査予約オーダを受付部１５から受け付ける。検像ステータス管理部１６は、操作履歴記憶部１２に操作Ｎｏ「１」の操作履歴が登録されると、受け付けた検査予約オーダのオーダＩＤ「００００１」と、検像ステータス「未確認」とを対応付けて検像ステータス記憶部１４へ登録する。
【００３６】
次に、操作Ｎｏ「２」の操作情報が操作履歴記憶部１２に登録された場合の処理を説明する。検像ステータス管理部１６は、図３のオーダＩＤ「００００２」の検査予約オーダを受付部１５から受け付ける。検像ステータス管理部１６は、操作履歴記憶部１２に操作Ｎｏ「２」の操作履歴が登録されると、受け付けた検査予約オーダのオーダＩＤ「００００２」と、検像ステータス「未確認」とを対応付けて検像ステータス記憶部１４へ登録する。
【００３７】
次に、操作Ｎｏ「３」の操作情報が操作履歴記憶部１２に登録された場合の処理を説明する。検像ステータス管理部１６は、操作履歴記憶部１２に操作Ｎｏ「３」の操作情報が登録されると、操作Ｎｏ「３」のオーダＩＤ「００００１」と同一のオーダＩＤを含む操作Ｎｏ「１」及び「３」の操作情報を操作履歴記憶部１２から取得する。なお、この時点では、操作Ｎｏ「４」以降の操作情報は未登録である。
【００３８】
また、検像ステータス管理部１６は、オーダＩＤ「００００１」の検像ステータス「未確認」を、検像ステータス記憶部１４から取得する。そして、検像ステータス管理部１６は、検像ステータス「未確認」を変更前検像ステータスに含む条件Ｎｏ「００２」及び「００３」の条件を、条件記憶部１３から取得する。その後、検像ステータス管理部１６は、操作情報が条件Ｎｏ「００２」及び「００３」の条件を満たすか否かを判定する。
【００３９】
まず、検像ステータス管理部１６が条件Ｎｏ「００２」の条件を満たすか否かを判定する場合の処理を説明する。検像ステータス管理部１６は、条件Ｎｏ「００２」の条件から、操作内容及び操作者の組合せを、操作情報が満たすべき項目として抽出する。図５の例では、検像ステータス管理部１６は、操作内容「検査予約オーダを閲覧」及び「撮影技師」の組合せを、項目（１）として抽出する。また、検像ステータス管理部１６は、操作内容「患者の過去検査履歴を閲覧」及び「撮影技師」の組合せを、項目（２）として抽出する。また、検像ステータス管理部１６は、条件Ｎｏ「００２」の条件から、その他の内容に基づいて、項目を抽出する。図５の例では、検像ステータス管理部１６は、条件Ｎｏ「００２」のその他「（道営材を使用する検査の場合）使用材料画面確認済」が存在するので、オーダ記憶部１１を参照する。ここで、オーダＩＤ「００００１」には使用材料「造影剤あり」が対応付けられているので、検像ステータス管理部１６は、操作内容「使用材料画面確認済」を項目（３）として抽出する。また、検像ステータス管理部１６は、条件Ｎｏ「００２」のその他「（装置Ｚの場合）設定値確認済」が存在するので、オーダ記憶部１１を参照する。ここで、オーダＩＤ「００００１」には検査装置「装置Ｘ」が対応付けられており、装置Ｚではないので、検像ステータス管理部１６は、「設定値確認済」を項目として抽出しない。すなわち、検像ステータス管理部１６は、条件Ｎｏ「００２」の項目（１）〜（３）のそれぞれを、取得した操作Ｎｏ「１」及び「３」の操作情報が満たすか否かを判定し、項目（１）〜（３）の全てを満たした場合に、条件Ｎｏ「００２」の条件を満たすと判定する。
【００４０】
検像ステータス管理部１６は、項目（１）〜（３）と、操作Ｎｏ「１」及び「３」の操作情報とをそれぞれ比較する。ここで、操作Ｎｏ「３」の操作情報に「検査予約オーダを閲覧」及び「撮影技師Ａ」の組合せが含まれるので、検像ステータス管理部１６は、操作Ｎｏ「３」の操作情報が項目（１）を満たすと判定する。しかし、項目（２）及び（３）は操作Ｎｏ「１」及び「３」の操作情報のいずれにも含まれないので、検像ステータス管理部１６は、項目（２）及び（３）を満たさないと判定する。したがって、検像ステータス管理部１６は、操作Ｎｏ「１」及び「３」の操作情報が条件Ｎｏ「００２」の条件を満たさないと判定する。
【００４１】
続いて、検像ステータス管理部１６が条件Ｎｏ「００３」の条件を満たすか否かを判定する場合の処理を説明する。検像ステータス管理部１６は、条件Ｎｏ「００３」の条件から、操作内容及び操作者の組合せを、操作情報が満たすべき項目として抽出する。図５の例では、検像ステータス管理部１６は、操作内容「撮影実施」及び「撮影技師」の組合せを、項目（１）として抽出する。つまり、検像ステータス管理部１６は、条件Ｎｏ「００３」の項目（１）を、取得した操作Ｎｏ「１」及び「３」の操作情報が満たすか否かを判定し、項目（１）を満たした場合に、条件Ｎｏ「００３」の条件を満たすと判定する。
【００４２】
検像ステータス管理部１６は、条件Ｎｏ「００３」の項目（１）と、操作Ｎｏ「１」及び「３」の操作情報とをそれぞれ比較する。ここで、項目（１）は操作Ｎｏ「１」及び「３」の操作情報に含まれないので、検像ステータス管理部１６は、項目（１）を満たさないと判定する。したがって、検像ステータス管理部１６は、操作Ｎｏ「１」及び「３」の操作情報が条件Ｎｏ「００３」の条件を満たさないと判定する。
【００４３】
このように、検像ステータス管理部１６は、条件Ｎｏ「００２」及び「００３」のいずれの条件も満たされないので、検像ステータス記憶部１４を更新することなく、操作Ｎｏ「３」の操作情報が登録された場合の処理を終了する。
【００４４】
次に、操作Ｎｏ「５」の操作情報が操作履歴記憶部１２に登録された場合の処理を説明する。検像ステータス管理部１６は、操作履歴記憶部１２に操作Ｎｏ「５」の操作情報が登録されると、操作Ｎｏ「５」のオーダＩＤ「００００１」と同一のオーダＩＤを含む操作Ｎｏ「１」、「３」、「４」及び「５」の操作情報を操作履歴記憶部１２から取得する。なお、この時点では、操作Ｎｏ「６」以降の操作情報は未登録である。
【００４５】
検像ステータス管理部１６は、オーダＩＤ「００００１」の検像ステータス「未確認」を、検像ステータス記憶部１４から取得する。検像ステータス管理部１６は、検像ステータス「未確認」を変更前検像ステータスに含む条件Ｎｏ「００２」及び「００３」の条件を、条件記憶部１３から取得する。その後、検像ステータス管理部１６は、操作情報が条件Ｎｏ「００２」及び「００３」の条件を満たすか否かを判定する。
【００４６】
まず、検像ステータス管理部１６が条件Ｎｏ「００２」の条件を満たすか否かを判定する場合の処理を説明する。検像ステータス管理部１６は、上記の条件Ｎｏ「００２」の項目（１）〜（３）と、操作Ｎｏ「１」、「３」、「４」及び「５」の操作情報とをそれぞれ比較する。ここで、操作Ｎｏ「３」の操作情報に「検査予約オーダを閲覧」及び「撮影技師Ａ」の組合せが含まれるので、検像ステータス管理部１６は、操作Ｎｏ「３」の操作情報が項目（１）を満たすと判定する。また、操作Ｎｏ「４」の操作情報に「患者の過去検査履歴を閲覧」及び「撮影技師Ａ」の組合せが含まれるので、検像ステータス管理部１６は、操作Ｎｏ「４」の操作情報が項目（２）を満たすと判定する。また、操作Ｎｏ「５」の操作情報に「使用材料画面確認」が含まれるので、検像ステータス管理部１６は、操作Ｎｏ「５」の操作情報が項目（３）を満たすと判定する。このように、検像ステータス管理部１６は、条件Ｎｏ「００２」の項目（１）〜（３）の全ての項目を、操作Ｎｏ「１」及び「３」の操作情報が満たすので、条件Ｎｏ「００２」の条件を満たすと判定する。
【００４７】
続いて、検像ステータス管理部１６が条件Ｎｏ「００３」の条件を満たすか否かを判定する場合の処理を説明する。上記の条件Ｎｏ「００３」の項目（１）と、操作Ｎｏ「１」、「３」、「４」及び「５」の操作情報とをそれぞれ比較する。ここで、項目（１）は操作Ｎｏ「１」、「３」、「４」及び「５」の操作情報に含まれないので、検像ステータス管理部１６は、項目（１）を満たさないと判定する。したがって、検像ステータス管理部１６は、操作Ｎｏ「１」、「３」、「４」及び「５」の操作情報が条件Ｎｏ「００３」の条件を満たさないと判定する。
【００４８】
このように、検像ステータス管理部１６は、条件Ｎｏ「００２」の条件が満たされるので、図６に示すように、オーダＩＤ「００００１」に対応する検像ステータス「未確認」を、条件Ｎｏ「００２」に対応する変更後検像ステータス「撮影前確認済」で更新し、操作Ｎｏ「５」の操作情報が登録された場合の処理を終了する。
【００４９】
次に、操作Ｎｏ「７」の操作情報が操作履歴記憶部１２に登録された場合の処理を説明する。検像ステータス管理部１６は、操作履歴記憶部１２に操作Ｎｏ「７」の操作情報が登録されると、操作Ｎｏ「７」のオーダＩＤ「００００１」と同一のオーダＩＤを含む操作Ｎｏ「１」、「３」、「４」、「５」、「６」及び「７」の操作情報を操作履歴記憶部１２から取得する。なお、この時点では、操作Ｎｏ「８」以降の操作情報は未登録である。
【００５０】
また、検像ステータス管理部１６は、オーダＩＤ「００００１」の検像ステータス「撮影前確認済」を、検像ステータス記憶部１４から取得する。そして、検像ステータス管理部１６は、検像ステータス「撮影前確認済」を変更前検像ステータスに含む条件Ｎｏ「００４」、「００５」及び「００６」の条件を、条件記憶部１３から取得する。その後、検像ステータス管理部１６は、操作情報が条件Ｎｏ「００４」、「００５」及び「００６」の条件を満たすか否かを判定する。
【００５１】
まず、検像ステータス管理部１６が条件Ｎｏ「００４」の条件を満たすか否かを判定する場合の処理を説明する。図５の例では、検像ステータス管理部１６は、条件Ｎｏ「００４」の条件から、操作内容「撮影実施」及び「撮影技師でない」の組合せを、項目（１）として抽出する。すなわち、検像ステータス管理部１６は、条件Ｎｏ「００４」の項目（１）を、取得した操作Ｎｏ「１」、「３」〜「７」までの操作情報が満たすか否かを判定し、項目（１）を満たした場合に、条件Ｎｏ「００４」の条件を満たすと判定する。
【００５２】
検像ステータス管理部１６は、項目（１）と、操作Ｎｏ「１」、「３」〜「７」までの操作情報とをそれぞれ比較する。ここで、項目（１）は操作Ｎｏ「１」、「３」〜「７」までの操作情報に含まれないので、検像ステータス管理部１６は、項目（１）を満たさないと判定する。したがって、検像ステータス管理部１６は、操作Ｎｏ「１」、「３」〜「７」までの操作情報が条件Ｎｏ「００４」の条件を満たさないと判定する。
【００５３】
次に、検像ステータス管理部１６が条件Ｎｏ「００５」の条件を満たすか否かを判定する場合の処理を説明する。図５の例では、検像ステータス管理部１６は、条件Ｎｏ「００５」の条件に操作内容「撮影実施」及び操作者「−」が含まれるので、操作内容「撮影実施」を項目（１）として抽出する。また、検像ステータス管理部１６は、条件Ｎｏ「００５」の条件にその他「撮影結果を確認していない」が含まれるので、操作内容「撮影結果を確認」を含まないことを項目（２）として抽出する。すなわち、検像ステータス管理部１６は、条件Ｎｏ「００５」の項目（１）及び（２）のそれぞれを、取得した操作Ｎｏ「１」、「３」〜「７」までの操作情報が満たすか否かを判定し、項目（１）及び（２）を満たした場合に、条件Ｎｏ「００５」の条件を満たすと判定する。
【００５４】
検像ステータス管理部１６は、項目（１）及び（２）と、操作Ｎｏ「１」、「３」〜「７」までの操作情報とをそれぞれ比較する。ここで、操作Ｎｏ「６」の操作情報に「撮影実施」が含まれるので、検像ステータス管理部１６は、操作Ｎｏ「６」の操作情報が項目（１）を満たすと判定する。しかし、操作Ｎｏ「７」の操作情報に「撮影結果を確認」が含まれるので、検像ステータス管理部１６は、項目（２）を満たさないと判定する。したがって、検像ステータス管理部１６は、操作Ｎｏ「１」、「３」〜「７」までの操作情報が条件Ｎｏ「００５」の条件を満たさないと判定する。
【００５５】
次に、検像ステータス管理部１６が条件Ｎｏ「００６」の条件を満たすか否かを判定する場合の処理を説明する。図５の例では、検像ステータス管理部１６は、条件Ｎｏ「００６」の条件に操作内容「撮影実施」及び操作者「撮影技師」が含まれるので、操作内容「撮影実施」及び「撮影技師」の組合せを、項目（１）として抽出する。また、検像ステータス管理部１６は、条件Ｎｏ「００６」の条件に操作内容「撮影結果を確認」及び操作者「撮影技師」が含まれるので、操作内容「撮影結果を確認」及び「撮影技師」の組合せを、項目（２）として抽出する。すなわち、検像ステータス管理部１６は、条件Ｎｏ「００６」の項目（１）及び（２）を、取得した操作Ｎｏ「１」、「３」〜「７」までの操作情報が満たすか否かを判定し、項目（１）及び（２）を満たした場合に、条件Ｎｏ「００６」の条件を満たすと判定する。
【００５６】
検像ステータス管理部１６は、項目（１）及び（２）と、操作Ｎｏ「１」、「３」〜「７」までの操作情報とをそれぞれ比較する。ここで、操作Ｎｏ「６」の操作情報に「撮影実施」及び「撮影技師Ａ」の組合せが含まれるので、検像ステータス管理部１６は、操作Ｎｏ「６」の操作情報が項目（１）を満たすと判定する。また、操作Ｎｏ「７」の操作情報に「撮影結果を確認」及び「撮影技師Ａ」の組合せが含まれるので、検像ステータス管理部１６は、操作Ｎｏ「７」の操作情報が項目（２）を満たすと判定する。したがって、検像ステータス管理部１６は、操作Ｎｏ「１」、「３」〜「７」までの操作情報が条件Ｎｏ「００６」の条件を満たすと判定する。
【００５７】
このように、検像ステータス管理部１６は、条件Ｎｏ「００６」の条件が満たされるので、図７に示すように、オーダＩＤ「００００１」に対応する検像ステータス「撮影前確認済」を、条件Ｎｏ「００６」に対応する変更後検像ステータス「撮影後確認済」で更新し、操作Ｎｏ「７」の操作情報が登録された場合の処理を終了する。なお、図７は、検像ステータス記憶部に記憶される情報の一例を示す図である。
【００５８】
次に、操作Ｎｏ「８」の操作情報が操作履歴記憶部１２に登録された場合の処理を説明する。検像ステータス管理部１６は、操作履歴記憶部１２に操作Ｎｏ「８」の操作情報が登録されると、操作Ｎｏ「８」のオーダＩＤ「００００２」と同一のオーダＩＤを含む操作Ｎｏ「２」及び「８」の操作情報を操作履歴記憶部１２から取得する。なお、この時点では、操作Ｎｏ「９」以降の操作情報は未登録である。
【００５９】
検像ステータス管理部１６は、オーダＩＤ「００００２」の検像ステータス「未確認」を、検像ステータス記憶部１４から取得する。検像ステータス管理部１６は、検像ステータス「未確認」を変更前検像ステータスに含む条件Ｎｏ「００２」及び「００３」の条件を、条件記憶部１３から取得する。その後、検像ステータス管理部１６は、操作情報が条件Ｎｏ「００２」及び「００３」の条件を満たすか否かを判定する。
【００６０】
まず、検像ステータス管理部１６が条件Ｎｏ「００２」の条件を満たすか否かを判定する場合の処理を説明する。検像ステータス管理部１６は、上記の条件Ｎｏ「００２」の項目（１）〜（３）と、操作Ｎｏ「２」及び「８」の操作情報とをそれぞれ比較する。ここで、ここで、項目（１）〜（３）は操作Ｎｏ「２」及び「８」の操作情報に含まれないので、検像ステータス管理部１６は、項目（１）〜（３）を満たさないと判定する。したがって、検像ステータス管理部１６は、操作Ｎｏ「２」及び「８」の操作情報が条件Ｎｏ「００２」の条件を満たさないと判定する。
【００６１】
続いて、検像ステータス管理部１６が条件Ｎｏ「００３」の条件を満たすか否かを判定する場合の処理を説明する。上記の条件Ｎｏ「００３」の項目（１）と、操作Ｎｏ「２」及び「８」の操作情報とをそれぞれ比較する。ここで、操作Ｎｏ「８」の操作情報に「撮影実施」及び「撮影技師Ｂ」の組合せが含まれるので、検像ステータス管理部１６は、操作Ｎｏ「８」の操作情報が項目（１）を満たすと判定する。したがって、検像ステータス管理部１６は、操作Ｎｏ「８」の操作情報が条件Ｎｏ「００３」の条件を満たすと判定する。
【００６２】
このように、検像ステータス管理部１６は、条件Ｎｏ「００３」の条件が満たされるので、図７に示すように、オーダＩＤ「００００２」に対応する検像ステータス「未確認」を、条件Ｎｏ「００３」に対応する変更後検像ステータス「要検像」で更新し、操作Ｎｏ「８」の操作情報が登録された場合の処理を終了する。
【００６３】
次に、操作Ｎｏ「１０」の操作情報が操作履歴記憶部１２に登録された場合の処理を説明する。検像ステータス管理部１６は、操作履歴記憶部１２に操作Ｎｏ「１０」の操作情報が登録されると、操作Ｎｏ「１０」のオーダＩＤ「００００１」と同一のオーダＩＤを含む操作Ｎｏ「１」、「３」、「４」、「５」、「６」、「７」、「９」及び「１０」の操作情報を操作履歴記憶部１２から取得する。なお、この時点では、操作Ｎｏ「１１」以降の操作情報は未登録である。
【００６４】
検像ステータス管理部１６は、オーダＩＤ「００００１」の検像ステータス「撮影後確認済」を、検像ステータス記憶部１４から取得する。検像ステータス管理部１６は、検像ステータス「撮影後確認済」を変更前検像ステータスに含む条件Ｎｏ「００７」、「００８」及び「００９」の条件を、条件記憶部１３から取得する。その後、検像ステータス管理部１６は、操作情報が条件Ｎｏ「００７」、「００８」及び「００９」の条件を満たすか否かを判定する。
【００６５】
まず、検像ステータス管理部１６が条件Ｎｏ「００７」の条件を満たすか否かを判定する場合の処理を説明する。図５の例では、検像ステータス管理部１６は、条件Ｎｏ「００７」の条件から、操作内容「読影実施」及び「撮影技師でない」の組合せを、項目（１）として抽出する。また、検像ステータス管理部１６は、条件Ｎｏ「００７」の条件にその他「撮影画像を閲覧していない」が含まれるので、操作内容「撮影画像閲覧」を含まないことを項目（２）として抽出する。すなわち、検像ステータス管理部１６は、条件Ｎｏ「００７」の項目（１）及び（２）のそれぞれを、取得した操作Ｎｏ「１」、「３」〜「７」、「９」及び「１０」の操作情報が満たすか否かを判定し、項目（１）及び（２）を満たした場合に、条件Ｎｏ「００７」の条件を満たすと判定する。
【００６６】
検像ステータス管理部１６は、項目（１）及び（２）と、操作Ｎｏ「１」、「３」〜「７」、「９」及び「１０」までの操作情報とをそれぞれ比較する。ここで、項目（１）は操作Ｎｏ「１」、「３」〜「７」、「９」及び「１０」までの操作情報に含まれないので、検像ステータス管理部１６は、項目（１）を満たさないと判定する。また、操作Ｎｏ「９」の操作情報に「撮影画像閲覧」が含まれるので、検像ステータス管理部１６は、項目（２）を満たさないと判定する。したがって、検像ステータス管理部１６は、操作Ｎｏ「１」、「３」〜「７」、「９」及び「１０」までの操作情報が条件Ｎｏ「００７」の条件を満たさないと判定する。
【００６７】
次に、検像ステータス管理部１６が条件Ｎｏ「００８」の条件を満たすか否かを判定する場合の処理を説明する。図５の例では、検像ステータス管理部１６は、条件Ｎｏ「００８」の条件に操作内容「読影実施」及び操作者「読影技師」が含まれるので、操作内容「読影実施」及び操作者「読影技師」の組合せを項目（１）として抽出する。また、検像ステータス管理部１６は、条件Ｎｏ「００８」の条件に操作内容「撮影画像閲覧」及び操作者「読影技師」が含まれるので、操作内容「撮影画像閲覧」及び操作者「読影技師」の組合せを項目（２）として抽出する。すなわち、検像ステータス管理部１６は、条件Ｎｏ「００８」の項目（１）及び（２）のそれぞれを、取得した操作Ｎｏ「１」、「３」〜「７」、「９」及び「１０」までの操作情報が満たすか否かを判定し、項目（１）及び（２）を満たした場合に、条件Ｎｏ「００８」の条件を満たすと判定する。
【００６８】
検像ステータス管理部１６は、項目（１）及び（２）と、操作Ｎｏ「１」、「３」〜「７」、「９」及び「１０」までの操作情報とをそれぞれ比較する。ここで、操作Ｎｏ「９」の操作情報に操作内容「撮影画像閲覧」及び操作者「読影技師Ｄ」の組合せが含まれるので、検像ステータス管理部１６は、操作Ｎｏ「９」の操作情報が項目（２）を満たすと判定する。また、操作Ｎｏ「１０」の操作情報に操作内容「読影実施」及び操作者「読影技師Ｄ」の組合せが含まれるので、検像ステータス管理部１６は、操作Ｎｏ「１０」の操作情報が項目（１）を満たすと判定する。したがって、検像ステータス管理部１６は、操作Ｎｏ「１」、「３」〜「７」、「９」及び「１０」までの操作情報が条件Ｎｏ「００８」の条件を満たすと判定する。
【００６９】
次に、検像ステータス管理部１６が条件Ｎｏ「００９」の条件を満たすか否かを判定する場合の処理を説明する。図５の例では、検像ステータス管理部１６は、条件Ｎｏ「００９」の条件に操作内容「読影実施」及び操作者「指定した読影技師」が含まれるので、オーダ記憶部１１を参照し、オーダＩＤ「００００１」に対応する予定読影技師「読影技師Ｃ」を取得する。そして、検像ステータス管理部１６は、操作内容「読影実施」及び操作者「読影技師Ｃ」の組合せを項目（１）として抽出する。また、検像ステータス管理部１６は、条件Ｎｏ「００９」の条件に操作内容「撮影画像閲覧」及び操作者「指定した読影技師」が含まれるので、操作内容「撮影画像閲覧」及び操作者「読影技師Ｃ」の組合せを項目（２）として抽出する。すなわち、検像ステータス管理部１６は、条件Ｎｏ「００９」の項目（１）及び（２）のそれぞれを、取得した操作Ｎｏ「１」、「３」〜「７」、「９」及び「１０」までの操作情報が満たすか否かを判定し、項目（１）及び（２）を満たした場合に、条件Ｎｏ「００９」の条件を満たすと判定する。
【００７０】
検像ステータス管理部１６は、項目（１）及び（２）と、操作Ｎｏ「１」、「３」〜「７」、「９」及び「１０」までの操作情報とをそれぞれ比較する。ここで、操作Ｎｏ「９」の操作情報に操作内容「撮影画像閲覧」及び操作者「読影技師Ｄ」の組合せが含まれるので、検像ステータス管理部１６は、操作Ｎｏ「９」の操作情報が項目（２）を満たさないと判定する。また、操作Ｎｏ「１０」の操作情報に操作内容「読影実施」及び操作者「読影技師Ｄ」の組合せが含まれるので、検像ステータス管理部１６は、操作Ｎｏ「１０」の操作情報が項目（１）を満たさないと判定する。したがって、検像ステータス管理部１６は、操作Ｎｏ「１」、「３」〜「７」、「９」及び「１０」までの操作情報が条件Ｎｏ「００８」の条件を満たさないと判定する。
【００７１】
このように、検像ステータス管理部１６は、条件Ｎｏ「００８」の条件が満たされるので、図８に示すように、オーダＩＤ「００００１」に対応する検像ステータス「撮影後確認済」を、条件Ｎｏ「００８」に対応する変更後検像ステータス「検像済」で更新し、操作Ｎｏ「１０」の操作情報が登録された場合の処理を終了する。なお、図８は、検像ステータス記憶部に記憶される情報の一例を示す図である。
【００７２】
次に、操作Ｎｏ「１２」の操作情報が操作履歴記憶部１２に登録された場合の処理を説明する。検像ステータス管理部１６は、操作履歴記憶部１２に操作Ｎｏ「１２」の操作情報が登録されると、操作Ｎｏ「１２」のオーダＩＤ「００００２」と同一のオーダＩＤを含む操作Ｎｏ「２」、「８」、「１１」及び「１２」の操作情報を操作履歴記憶部１２から取得する。
【００７３】
検像ステータス管理部１６は、オーダＩＤ「００００２」の検像ステータス「要検像」を、検像ステータス記憶部１４から取得する。検像ステータス管理部１６は、検像ステータス「要検像」を変更前検像ステータスに含む条件Ｎｏ「０１０」の条件を、条件記憶部１３から取得する。その後、検像ステータス管理部１６は、操作情報が条件Ｎｏ「０１０」の条件を満たすか否かを判定する。
【００７４】
図５の例では、検像ステータス管理部１６は、条件Ｎｏ「０１０」の条件に操作内容「読影実施」及び操作者「指定した読影技師」が含まれるので、オーダ記憶部１１を参照し、オーダＩＤ「００００２」に対応する予定読影技師「読影技師Ｄ」を取得する。そして、検像ステータス管理部１６は、操作内容「読影実施」及び操作者「読影技師Ｄ」の組合せを項目（１）として抽出する。また、検像ステータス管理部１６は、条件Ｎｏ「０１０」の条件に操作内容「撮影画像閲覧」及び操作者「指定した読影技師」が含まれるので、操作内容「撮影画像閲覧」及び操作者「読影技師Ｄ」の組合せを項目（２）として抽出する。すなわち、検像ステータス管理部１６は、条件Ｎｏ「０１０」の項目（１）及び（２）のそれぞれを、取得した操作Ｎｏ「２」、「８」、「１１」及び「１２」までの操作情報が満たすか否かを判定し、項目（１）及び（２）を満たした場合に、条件Ｎｏ「０１０」の条件を満たすと判定する。
【００７５】
検像ステータス管理部１６は、項目（１）及び（２）と、操作Ｎｏ「２」、「８」、「１１」及び「１２」までの操作情報とをそれぞれ比較する。ここで、操作Ｎｏ「１１」の操作情報に操作内容「撮影画像閲覧」及び操作者「読影技師Ｄ」の組合せが含まれるので、検像ステータス管理部１６は、操作Ｎｏ「１１」の操作情報が項目（２）を満たすと判定する。また、操作Ｎｏ「１２」の操作情報に操作内容「読影実施」及び操作者「読影技師Ｄ」の組合せが含まれるので、検像ステータス管理部１６は、操作Ｎｏ「１２」の操作情報が項目（１）を満たすと判定する。したがって、検像ステータス管理部１６は、操作Ｎｏ「２」、「８」、「１１」及び「１２」までの操作情報が条件Ｎｏ「０１０」の条件を満たすと判定する。
【００７６】
このように、検像ステータス管理部１６は、条件Ｎｏ「０１０」の条件が満たされるので、図８に示すように、オーダＩＤ「００００２」に対応する検像ステータス「要検像」を、条件Ｎｏ「０１０」に対応する変更後検像ステータス「検像済」で更新し、操作Ｎｏ「１２」の操作情報が登録された場合の処理を終了する。
【００７７】
以上のように、検像ステータス管理部１６は、操作情報が条件を満たすか否かを判定し、操作情報が条件を満たす場合には、その条件に対応する変更後検像ステータスで、検像ステータス記憶部１４によって記憶されている検像ステータスを更新する。
【００７８】
図２の説明に戻る。出力制御部１７は、検像ステータス記憶部１４に記憶された検像ステータスを出力する。例えば、出力制御部１７は、検査一覧を表示する要求を端末装置５０から受け付ける。出力制御部１７は、受け付けた要求に含まれる検査のオーダＩＤに対応する検査予約オーダ及び検像ステータスを、オーダ記憶部１１及び検像ステータス記憶部１４からそれぞれ取得する。そして、出力制御部１７は、それぞれ取得した検査予約オーダ及び検像ステータスを組み合わせ、出力用のデータを生成し、要求送信元の端末装置５０に送信する。例えば、出力制御部１７は、オーダＩＤ「００００１」及び「００００２」を表示する要求を受け付けた場合には、図９に示す出力用のデータを生成し、端末装置５０に送信する。なお、図９は、出力制御部の処理を説明するための図である。
【００７９】
図１０は、第１の実施形態に係る医用画像管理装置の処理手順を示すフローチャートである。図１０に示す処理は、例えば、図示した各装置に電源から電力が供給される間、所定時間間隔で実行される。
【００８０】
図１０に示すように、受付部１５が検査予約オーダ又は操作情報を受け付けると（ステップＳ１０１肯定）、受付部１５は、受け付けた情報が操作情報か否かを判定する（ステップＳ１０２）。そして、操作情報である場合には（ステップＳ１０２肯定）、受付部１５は、受け付けた操作情報を操作履歴記憶部１２に登録する（ステップＳ１０３）。なお、受付部１５が検査予約オーダ又は操作情報を受け付けるまで（ステップＳ１０１否定）、医用画像管理装置１０は待機状態となる。
【００８１】
検像ステータス管理部１６は、操作情報が操作履歴記憶部１２に登録されると、登録された操作情報のオーダＩＤと同一のオーダＩＤの操作情報を操作履歴記憶部１２から取得する（ステップＳ１０４）。そして、検像ステータス管理部１６は、検像ステータス記憶部１４から、オーダＩＤの検像ステータスを取得する（ステップＳ１０５）。検像ステータス管理部１６は、検像ステータスを変更前検像ステータスに含む条件を、条件記憶部１３から取得する（ステップＳ１０６）。
【００８２】
検像ステータス管理部１６は、操作履歴記憶部１２から取得した操作情報が、条件記憶部１３から取得した条件を満たすか否かを判定する（ステップＳ１０７）。操作情報が条件を満たす場合には（ステップＳ１０８肯定）、検像ステータス管理部１６は、その条件に対応する検像ステータスで、検像ステータス記憶部１４によって記憶されている検像ステータスを更新する（ステップＳ１０９）。
【００８３】
一方、操作情報が条件を満たさない場合には（ステップＳ１０８否定）、検像ステータス管理部１６は、検像ステータス記憶部１４を更新することなく処理を終了する。
【００８４】
また、ステップＳ１０２において、操作情報でない場合には（ステップＳ１０２否定）、受付部１５は、受け付けた検査予約オーダをオーダ記憶部１１に登録する（ステップＳ１１０）。続いて、受付部１５は、検査予約オーダを受け付けた旨を操作履歴記憶部１２に登録するとともに（ステップＳ１１１）、検査予約オーダを検像ステータス管理部１６に出力する。そして、検像ステータス管理部１６は、検査予約オーダを受付部１５から受け付けると、受け付けた検査予約オーダについて新規の検像ステータスを検像ステータス記憶部１４に登録し（ステップＳ１１２）、処理を終了する。
【００８５】
上述してきたように、第１の実施形態に係る医用画像管理装置１０は、医用画像データを用いた検査について行われた操作の実施状況を表す検像ステータスを記憶する。医用画像管理装置１０は、検査に対して行われる操作の内容に関する条件と、その条件に応じた検像ステータスとを対応付けて記憶する。医用画像管理装置１０は、検査について行われた操作を受け付ける。医用画像管理装置１０は、受け付けた操作の内容が条件を満たす場合に、その条件に対応する検像ステータスで、記憶している検像ステータスを更新する。このため、医用画像管理装置１０は、医用画像を用いた診断の精度を向上させることができる。例えば、医用画像管理装置１０は、医師が検査一覧を閲覧する場合に、検像ステータスを表示する。これにより、医師は、閲覧する医用画像に対してどのような操作が行われたか、さらにはその操作が誰によってなされたのかを容易に把握することができる。すなわち、医用画像管理装置１０は、医用画像がどの程度信頼できるかを表す情報とともに医用画像を提供することで、診断の精度を向上させることができる。
【００８６】
（第２の実施形態）
次に、第２の実施形態を説明する。上述した医用画像管理装置１０は、医用画像データを用いた検査について行われた操作の実施状況に応じて検像ステータスを設定するだけでなく、検査の結果に対する操作を操作者ごとに制限しても良い。例えば、医用画像管理装置１０は、設定した検像ステータスに応じて、医用画像データや検査結果に対して各操作者の閲覧可否や更新可否を設定しても良い。以下では、第２の実施形態に係る医用画像管理装置１０が、設定した検像ステータスに応じて、医用画像データや検査結果に対して各操作者の閲覧可否を設定する場合をについて説明する。
【００８７】
図１１は、第２の実施形態に係る医用画像管理装置の機能構成の一例を示す図である。図１１に示すように、第２の実施形態に係る医用画像管理装置１０は、図２に示した機能部に加え、閲覧可否記憶部２１と、制限部２２とを有する。なお、以下では、第１の実施形態と同様の機能を発揮する機能部については同一の符号を付し、その説明を省略することとする。
【００８８】
閲覧可否記憶部２１は、検査の結果に対して制限される操作者ごとの操作を、検像ステータスごとに記憶する。例えば、閲覧可否記憶部２１は、検像ステータスに応じた各操作者の閲覧可否を記憶する。閲覧可否記憶部２１は、医用画像管理装置１０を管理する管理者により予め設定される。また閲覧可否記憶部２１は、後述の制限部２２により参照される。
【００８９】
図１２は、閲覧可否記憶部に記憶される情報の一例を示す図である。図１２に示すように、閲覧可否記憶部２１は、検像ステータス及び閲覧可否を対応付けて記憶する。このうち、閲覧可否は、医用画像データや検査結果を閲覧可能な操作者を設定するための情報である。
【００９０】
図１２に示す例では、閲覧可否記憶部２１は、検像ステータス「要検像」と、閲覧可否「撮影技師及び読影技師のみ閲覧可」を対応付けて記憶する。つまり、閲覧可否記憶部２１は、検像ステータスが「要検像」の医用画像データ及び検査結果を、撮影技師及び読影技師のみが閲覧できるように設定することを記憶する。また、閲覧可否記憶部２１は、他の検像ステータスについても同様に、閲覧可否を記憶する。
【００９１】
制限部２２は、検像ステータス管理部１６によって更新された検像ステータスに応じて、検査の結果に対する操作を操作者ごとに制限する。例えば、制限部２２は、検像ステータス管理部１６により検像ステータスが更新されると、検像ステータス記憶部１４を参照し、更新された検像ステータスに応じて、医用画像データや検査結果を閲覧可能な操作者を設定する。一例としては、制限部２２は、検像ステータス管理部１６によりオーダＩＤ「００００１」の検像ステータスが「検像済」に更新されると、閲覧可否記憶部２１を参照し、「検像済」に対応する閲覧可否「撮影技師、読影技師及び医師のみ閲覧可」を取得する。そして、制限部２２は、オーダＩＤ「００００１」の医用画像データ及び検査結果に対して、撮影技師、読影技師及び医師のみが閲覧できるように設定する。なお、図１に示した各装置及び第２の実施形態に係る医用画像管理装置１０は、操作者のアカウント及びパスワードを受け付けることにより、操作者を特定することができる。
【００９２】
上述してきたように、第２の実施形態に係る医用画像管理装置１０は、検像ステータス管理部１６によって更新された検像ステータスに応じて、検査の結果に対する操作を操作者ごとに制限する。このため、医用画像管理装置１０は、好ましくない者により検査の結果が操作されることを防ぐことができるので、医用画像を用いた診断の精度を向上させることができる。
【００９３】
以上説明した少なくともひとつの実施形態によれば、診断精度を向上させることができる。
【００９４】
以上、いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００９５】
例えば、図２に例示した医用画像管理装置１０の各構成要素は機能概念的なものであり、必ずしも物理的に図示の如く医用画像管理装置１０が有することを要しない。すなわち、医用画像管理装置１０の各構成要素の分散・統合の具体的形態は図示のものに限定されるものではない。一例としては、医用画像管理装置１０の各構成要素の全部又は一部を、各種の負荷や使用状況等に応じて、図１に例示した医用情報システム１の各装置に分散しても良く、一部の構成要素の機能のみを有する装置を設置しても良い。
【００９６】
一例としては、医用情報システム１は、医用画像管理装置１０とは別に、操作履歴記憶部１２及び受付部１５の機能を有する操作ログ装置を有する。そして、操作ログ装置は、検査について行われた操作を受け付け、受け付けた操作を医用画像管理装置１０へ送信する。医用画像管理装置１０は、操作ログ装置から受信した操作の内容が条件を満たす場合に、その条件に対応する検像ステータスで、記憶している検像ステータスを更新する。このため、医用画像管理装置１０は、医用画像を用いた診断の精度を向上させることができる。
【００９７】
なお、第１の実施形態及び第２の実施形態において説明したオーダ記憶部１１、操作履歴記憶部１２、条件記憶部１３、検像ステータス記憶部１４及び閲覧可否記憶部２１は、例えば、ＲＡＭ（Random  Access  Memory）、フラッシュメモリ（Flash  Memory）などの半導体メモリ素子、ハードディスク装置や光ディスク装置などの記憶装置に対応する。
【００９８】
また、第１の実施形態及び第２の実施形態において説明した受付部１５、検像ステータス管理部１６、出力制御部１７及び制限部２２の機能は、例えば、ＡＳＩＣ（Application  Specific  Integrated  Circuit）やＦＰＧＡ（Field  Programmable  Gate  Array）などの集積回路により実現することができる。
【００９９】
また、第１の実施形態及び第２の実施形態において説明した受付部１５、検像ステータス管理部１６、出力制御部１７及び制限部２２の機能は、例えば、ソフトウェアによって実現することもできる。例えば、受付部１５、検像ステータス管理部１６、出力制御部１７及び制限部２２の機能は、上記実施形態において受付部１５、検像ステータス管理部１６、出力制御部１７及び制限部２２が行うものとして説明した処理の手順を規定した医用画像管理プログラムをコンピュータに実行させることで、実現される。この医用画像管理プログラムは、例えば、ハードディスクや半導体メモリ素子等に記憶され、ＣＰＵやＭＰＵ等のプロセッサによって読み出されて実行される。また、この医用画像管理プログラムは、ＣＤ−ＲＯＭ（Compact  Disc  −  Read  Only  Memory）やＭＯ（Magnetic  Optical  disk）、ＤＶＤ（Digital  Versatile  Disc）などのコンピュータ読取り可能な記録媒体に記録されて、配布され得る。
【符号の説明】
【０１００】
１      医用情報システム
１０      医用画像管理装置
１３      条件記憶部
１４      検像ステータス記憶部
１５      受付部
１６      検像ステータス管理部
２２      制限部
【図１】
2015159894.tif 000003
【図２】
2015159894.tif 000004
【図３】
2015159894.tif 000005
【図４】
2015159894.tif 000006
【図５】
2015159894.tif 000007
【図６】
2015159894.tif 000008
【図７】
2015159894.tif 000009
【図８】
2015159894.tif 000010
【図９】
2015159894.tif 000011
【図１０】
2015159894.tif 000012
【図１１】
2015159894.tif 000013
【図１２】
2015159894.tif 000014